(57)【要約】      （修正有）【課題】組立し易くしかも遊技機に取付けた際に遊技機を正面視しても錠本体（シリンダ錠）が遊技機のデザインを損うことなく、遊技機全体のデザインの自由度が制約されない施錠装置及びそれを用いた遊技機を提供する。【解決手段】施錠装置５は、内枠３に取付けられる基体７０と、鍵によって錠軸８１が回動操作可能な錠本体８０と、該錠本体８０に設けられ該錠本体８０の操作により作用するカム部材８２と、錠本体８０の操作によりカム部材８２と連係して前記基体７０に支持される施錠杆５０，６０とを備え、基体７０は施錠杆５０，６０をスライド自在に支持する支持板７１と、錠本体８０が直交して取付けられる取付板７２とを含んで構成され、該基体７０を内枠３に取付けしたときに水平面に投影した錠本体８０の錠軸８１が内枠３の外方から内方に向く軸線を有するように設けた。【選択図】図５
2010253118.tif 000002
【特許請求の範囲】
【請求項１】
遊技機の外形をなす矩形状の外枠に開閉自在に装着される内枠の開放側を施錠する遊技機の施錠装置であって、
前記施錠装置は、前記内枠に取付けられる基体と、鍵によって錠軸が回動操作可能な錠本体と、該錠本体に設けられ該錠本体の操作により作用するカム部材と、前記錠本体の操作により前記カム部材と連係して前記基体に支持される施錠杆とを備え、
前記基体は前記施錠杆をスライド自在に支持する支持板と、前記錠本体が直交して取付けられる取付板とを含んで構成され、該基体を前記内枠に取付けしたときに水平面に投影した錠本体の錠軸の軸方向が内枠の外方から内方に向く軸線を有するように設けられることを特徴とする遊技機の施錠装置。
【請求項２】
前記基体は、前記支持板が帯板状に形成され、前記支持板の短手方向端部に前記取付板が設けられて、前記取付板と支持板となす挟角が鈍角となるように形成されていることを特徴とする請求項１記載の遊技機の施錠装置。
【請求項３】
請求項１又は２記載の施錠装置を前記内枠に備えた遊技機であって、前記内枠は少なくとも開放側の前面が前方に膨出形成される装飾部材により覆われると共に該装飾部材に前記錠本体が臨む操作開口が形成され、該操作開口は前記錠本体の軸線と略直交する装飾面に形成したことを特徴とする遊技機。
【発明の詳細な説明】
【技術分野】
【０００１】
本発明は、遊技機の外形をなす外枠に遊技盤が組付けられる内枠とガラス板等を有する前面枠とが重ね合わされて各々施錠される遊技機の施錠装置及びそれを備えた遊技機に関する。
【背景技術】
【０００２】
従来、パチンコ遊技機、アレンジボール式遊技機等の弾球遊技機を含む種々の遊技機に設けられる施錠装置は、シリンダ錠を取付ける取付板と施錠杆を支持する支持板とを断面Ｌ字状に形成した基体の内側に鉤部を連係又は一体に設けた内枠用と前面枠用の施錠杆を重ね合わせるように摺動自在に設け、シリンダ錠のカム部材の係合により夫々の施錠杆をスライドさせて、鉤の係合を解除するようにしている（例えば、特許文献１参照。）。
【０００３】
また、例えば遊技機としてのパチンコ遊技機は、遊技機の外形をなす外枠に対して開閉可能な内枠に遊技盤が着脱可能に組み付けられ、該内枠には前面枠（ガラス枠）が開閉可能に設けられている。内枠は、例えば前面枠を正面視して左側の縦枠部の上下に設けられたヒンジを中心に開閉可能に設けられており、開放側（正面視して右側）に施錠装置を設けて施錠するようにしている。
【０００４】
そして、近年のパチンコ遊技機は見栄えを良くして目立つように前面枠及び内枠のデザインが派手になり、それに伴って前面枠及び内枠の前面を覆う装飾部材を前方に膨出して形成している。そのため、装飾部材に窪み部を形成して、その後端にシリンダ錠の操作開口を形成するようにしている（例えば、特許文献２参照。）。
【先行技術文献】
【特許文献】
【０００５】
【特許文献１】特開平２００１−３８０２６号公報
【特許文献２】特開平１１−４９４８号公報
【発明の概要】
【発明が解決しようとする課題】
【０００６】
しかしながら従来の施錠装置は、断面Ｌ字状に形成された基体の内側に、施錠杆及びシリンダ錠を組み付ける際に、９０度の限られた範囲内に組み付けしなければならないため作業がし難いものとなっている。また、施錠杆とシリンダ錠を連係するカム部材は、シリンダ錠に組み付けた状態で基体に組み付けようとすると、取付範囲が狭いためカム部材と施錠杆とを連係させ難く、結局基体に施錠杆及びシリンダ錠を組み付けた後にカム部材をシリンダ錠に固定するようにしなければならず、組立の作業性が悪いものとなっている。
【０００７】
また、施錠装置を遊技機に取付ける際にはシリンダ錠が正面を向いて取付けられるため、遊技機を正面視した際にシリンダ錠が露呈して目立つものとなり、デザインの妨げとなっている。また、前面枠のデザインが派手になり前面側への膨出量が増すとシリンダ錠を操作するための窪み部を広く深く形成しなければならず、なるべくシリンダ錠の取付位置を装飾部の目立たない遊技機の下方部に位置する等しており、施錠部によってデザインが制約されるという問題がある。
【０００８】
本発明は、上記課題を解決するためになされたものであり、組立し易くしかも遊技機に取付けた際に遊技機を正面視しても錠本体（シリンダ錠）が遊技機のデザインを損うことなく、遊技機全体のデザインの自由度が制約されない施錠装置を提供することを目的としている。
【課題を解決するための手段】
【０００９】
上記目的を達成するために、本発明の施錠装置は次の構成を備える。施錠装置は、遊技機の外形をなす矩形状の外枠に開閉自在に装着される内枠の開放側を施錠する遊技機の施錠装置であって、前記施錠装置は、前記内枠に取付けられる基体と、鍵によって錠軸が回動操作可能な錠本体と、該錠本体に設けられ該錠本体の操作により作用するカム部材と、前記錠本体の操作により前記カム部材と連係して前記基体に支持される施錠杆とを備え、前記基体は前記施錠杆をスライド自在に支持する支持板と、前記錠本体が直交して取付けられる取付板とを含んで構成され、該基体を前記内枠に取付けしたときに水平面に投影した錠本体の錠軸の軸方向が内枠の外方から内方に向く軸線を有するように設けられることを特徴とする。
【００１０】
また、前記基体は、前記支持板が帯板状に形成され、前記支持板の短手方向端部に前記取付板が設けられて、前記取付板と支持板となす挟角が鈍角となるように形成されていることを特徴とする。錠本体を水平面に投影した際に該錠本体と直交する取付板と施錠杆の幅方向となす挟角が鈍角となる。
【００１１】
また、上記目的を達成するために、本発明の遊技機は次の構成を備える。遊技機は、上述したいずれかの施錠装置を備え、前記内枠は少なくとも開放側の前面が前方に膨出形成される装飾部材により覆われると共に該装飾部材に前記錠本体が臨む操作開口が形成され、該操作開口は前記錠本体の軸線と略直交する装飾面に形成したことを特徴とする。
【００１２】
施錠装置は、施錠杆として外枠に係合する外枠用フック部を有する第１スライド部材と、前面扉に係合する前面扉用フック部を有する第２スライド部材とを備え、それら第１スライド部材及び第２スライド部材を支持板の支持面に対して並設するとよい。
【００１３】
上記構成によれば、内枠の所定場所（例えば内枠の開放側端部）に取り付けられる基体の支持板に対して第１スライド部材及び第２スライド部材が並設されている。これによれば、第１スライド部材と第２スライド部材とがともに同一の支持面（例えば同一平面上）に設けられるので、互いに重なり合うこともなく、全体として薄型化を図ることができる。ひいては、施錠装置が薄型化されるので、パチンコ遊技機の内部構造の配置スペースや遊技盤（遊技領域）を大きく形成することができるようになる。また、取付板と支持板となす挟角を鈍角とすることにより、第１スライド部材及び第２スライド部材に係合するカム部材の爪部の立ち上がりの高さを低くすることができる。
【発明の効果】
【００１４】
本発明によれば、施錠装置を遊技機に取り付けたときには錠本体が遊技機の外側を向くので、施錠装置が目立たずデザインの意匠性を損なうことがなく、遊技機の前面を覆う装飾部材のデザイン自由度を向上させ見栄えをよくすることができる。また、取付板と支持板となす挟角を鈍角とすることにより組付けの作業領域が広くなり、基体に施錠杆及び錠本体，カム部材の組付けが容易となり施錠装置の組立作業性が向上する。
【図面の簡単な説明】
【００１５】
【図１】本発明の実施形態に係る遊技機の一例を示す正面図である。
【図２】内枠及び前面枠を開状態としたパチンコ遊技機の後方斜視図である。
【図３】本発明の実施形態に係る遊技機用施錠装置の側面図である。
【図４】図３の施錠装置の分解斜視図である。
【図５】（ａ）は仮想線で示すパチンコ遊技機に取付けた状態の施錠装置の平面図であり、（ｂ）は基体の平面図である。
【図６】施錠装置の通常状態を示す要部拡大図である。
【図７】第１スライド部材の作動状態を示す要部拡大図である。
【図８】第２スライド部材の作動状態を示す要部拡大図である。
【発明を実施するための形態】
【００１６】
以下、本発明の実施形態について図面を参照して説明する。図１は本発明の実施形態に係る遊技機の一例を示すパチンコ遊技機の正面図、図２は図１の遊技機における内枠及び前面枠を開状態とした後方斜視図である。パチンコ遊技機１は、そのパチンコ遊技機１の外形をなす枠状の外枠２の正面一側にヒンジ機構１０を介して内枠３が回動可能に設けられ、その内枠３には、遊技盤１１が装着されると共に、遊技盤１１の正面を覆う透明板４１を備えた前面枠４が回動可能に設けられている。そして、内枠３及び前面枠４は内枠３の開放側端部３ａ（ヒンジ機構１０とは反対側の側端部）に取り付けられる施錠装置５によって施錠するようにしている。また、前面枠４の下方に位置する内枠３には遊技球を貯留し発射部に整列して供給する供給皿２０と余剰球を貯留する貯留皿２１とが設けられている。そして、貯留皿２１の右側に打球の弾発力を調節する操作ハンドル１９が設けられている。
【００１７】
外枠２は、上下左右の側枠により矩形状に形成され、内枠３の下側に位置するように幕板２ａが設けられている。そして、図２に示すように右側枠の内側には施錠装置５が係合する板状の係合受け部２２（本実施例においては２箇所）が設けられている。また、前面枠４は、遊技盤１１を視認し得る窓部の周囲を前面側に膨出形成される装飾カバーにより覆うと共に窓部に位置して遊技盤１１を覆うためのガラス板等の透明板４１が取り付けられる。そして、前面枠４の裏面側には、図２に示すように施錠装置５が係合保持する係合部４２（本実施例においては３箇所）を設けている。
【００１８】
内枠３は、遊技者が視認し得る前面側（図１において前面枠４の下方位置）に装飾部材３１が装着されている。装飾部材３１は、図５に示すように前面枠４の装飾と連なるように前側に膨出して形成され、外側（開放側）に向かって緩やかに湾曲する装飾面を有し、この装飾面部に施錠装置５の操作開口３２が形成されている。この操作開口３２から図示しない鍵を差し込み、後述する錠本体（シリンダ錠８０）の錠軸部８１を一方向（図７矢印Ｐ方向）へ回転することにより内枠３の施錠が解錠され、他方向（図８矢印Ｑ方向）へ回転することにより前面枠４の施錠が解錠されるようになっている。
【００１９】
遊技盤１１は、略方形状に形成され、所定の幅員を有するガイドレール１２により前面枠４の透明板４１との間に略円形の遊技領域１１ａが区画形成されている。そして、この遊技領域１１ａの中央には液晶画面等を備えた可変表示装置１３が配置されており、その下方に始動入賞口１４及び大入賞口１５が配置されている。また、可変表示装置１３の左右には通過ゲート１７や風車１８等が設けられている。遊技領域１１ａの最下端には入賞球とならなかった遊技球がアウト球として流出するアウト口１６が設けられている。
【００２０】
また、内枠３の裏面側には、具体的には図示しないが賞球を貯留する貯留タンクやタンクレール、賞球払出装置等の裏機構並びに各種制御基板（例えば可変表示装置１３の画像処理制御基板、パチンコ遊技機１の主制御基板、賞球払出装置の払出制御基板、発射装置の発射制御基板、電源基板）などを備える構造体３０が支持されている（図２参照）。
【００２１】
次に、施錠装置５の一実施例について図面を参照して説明する。図３及び図４に示すように、施錠装置５は、外枠２の係合受け部２２に係合する外枠用フック部５２を備えた第１スライド部材５０（施錠杆）と、前面枠４の係合部４２に係合する前面枠用フック部６２を備えた第２スライド部材６０（施錠杆）と、第１スライド部材５０及び第２スライド部材６０をスライド移動させる錠本体としてのシリンダ錠８０と、シリンダ錠８０の錠軸部８１に取付けられるカム部材８２と、第１スライド部材５０，第２スライド部材６０及びシリンダ錠８０が配置される基体７０を備えている。なお、第１スライド部材５０及び第２スライド部材６０は夫々第１付勢ばねＳ１及び第２付勢ばねＳ２によって施錠方向（図６矢印Ａ，Ｂ方向）に付勢される。
【００２２】
基体７０は、図３及び図５（ｂ）に示すように第１スライド部材５０及び第２スライド部材６０をスライド移動可能に並設支持する帯板状の支持板７１と、シリンダ錠８０を直交して取付ける取付板７２を備えて構成され、取付板７２は支持板７１となす角度θ（以後挟角θという）が鈍角（図上約１３５度）となるように設けられている。つまり、基体７０は図４及び図５に示すように鈍角に折曲して平面視してく字状に形成されている。言い換えれば、支持板７１と取付板７２との折曲点の内角が鈍角である。パチンコ遊技機１に取付けた状態では、図５（ａ）に示すように取付板７２の一側（内枠３の内方側）が他側より前面側となるように支持板７１に対して鈍角方向に設けられる。なお、取付板７２と支持板７１との挟角θを図上約１３５度としたが、これは図５に示すように施錠装置５の操作開口３２が形成された内枠３の装飾部材３１の装飾面と取付板７２とが略平行となるようにしている。なお、図上取付板７２と支持板７１との挟角θを約１３５度の鈍角としたが、挟角θは１１０度〜１５０度の範囲が好ましく、１８０度に近づくに従いシリンダ錠８０の鍵操作がし難くなる。
【００２３】
また、支持板７１は、図４及び図５に示すように、第１スライド部材５０及び第２スライド部材６０を支持する帯板の側縁から第１スライド部材５０及び第２スライド部材６０の厚みよりも高く且つ第１付勢ばねＳ１及び第２付勢ばねＳ２の高さ（例えば、コイル部分の直径）より立ち上がる側壁部７３が形成され、平面視コ字形状となっている。側壁部７３には、外枠用フック部５２及び前面枠用フック部６２のスライド移動領域を阻害しないように切欠部７５が形成されている。見方を変えれば、側壁部７３の切欠部７５に外枠用フック部５２及び前面枠用フック部６２が位置して、切欠部７５に外枠用フック部５２及び前面枠用フック部６２が当接することで、第１スライド部材５０及び第２スライド部材６０のスライド移動範囲を規定している。また、支持板７１に第１スライド部材５０及び第２スライド部材６０のスライド移動方向を規制するガイドピン５８，６８がかしめ固定される。実施例において、シリンダ錠８０を取付ける取付板７２は、第２スライド部材６０側の側壁部７３と一体的に屈曲形成されている。なお、取付板７２は支持板７１と別体で形成してもよく、支持板７１の長辺側部に所定の角度（鈍角）で取着してもよい。このように取付板７２を別体で形成することで、シリンダ錠８０を遊技機の装飾部材３１の形状（デザイン）に合わせて任意で水平方向に傾斜させることができ、装飾部材３１の角度に幅広く対応することができる。また、取付板７１は、側壁部７３の上端から段差状に形成するようにしてもよい。
【００２４】
第１スライド部材５０は、図３及び図４に示すように、帯板状のスライド本体５１の長辺側部５１ｂ（第２スライド部材６０と隣接する側）に折り返し部５３が形成され、第１スライド部材５０自身の強度を増すと共にこの折り返し部５３がスライド移動を円滑に行うガイド壁の役割を果たす。また、他方の長辺側部５１ａにはスライド本体５１と同一面内に先端から下方に傾斜した案内部が形成された上向きの外枠用フック部５２を突出形成している。そして、スライド本体５１には、シリンダ錠８０の操作によってカム部材８２が作用する被作用部５４と、被作用部５４と対向して不正行為による第１スライド部材５０のスライド移動（図６矢印Ａ方向）を阻止する阻止部５６とを起立形成している。さらに、スライド本体５１には、基体７０に設けられるガイドピン５８が遊挿されスライド移動をガイドする長手方向に延びる複数の長孔５７を厚み方向に貫設しており、第１スライド部材５０を施錠方向に付勢する第１付勢ばねＳ１の一端部を掛止する掛止部５５を設けている。この付勢ばねＳ１により、図６に示すように第１スライド部材５０がスライド移動して外枠用フック部５２が外枠２の係合受け部２２に係合して内枠３を施錠状態としている。
【００２５】
第２スライド部材６０は、図３及び図４に示すように、第１スライド部材５０と同様の形態をなし、帯板状のスライド本体６１の長辺側部６１ｂ（第１スライド部材５０と隣接する側）に折り返し部６３が形成され、第２スライド部材６０自身の強度を増すと共にスライド移動を円滑に行うガイド壁の役割を果たす。また、他方の長辺側部６１ａにはスライド本体６１と同一面内に先端から上方に傾斜した案内部が形成された下向きの前面枠用フック部６２を突出形成している。そして、スライド本体６１には、シリンダ錠８０の操作によってカム部材８２が作用する被作用部６４が起立形成され、基体７０に設けられるガイドピン６８が遊挿されスライド移動をガイドする長手方向に延びる複数の長孔６７を厚み方向に貫設している。さらに、第２スライド部材６０を施錠方向に付勢する第２付勢ばねＳ２の一端部を掛止する掛止部６５を備えている。第２スライド部材６０は付勢ばねＳ２により、図６に示すようにスライド移動し前面枠用フック部６２が前面枠４の係合部４２に係合して前面枠４を施錠状態としている。なお、本実施例においては、不正行為によるスライド移動を阻止する阻止部を形成していないもので例示しているが、第１スライド部材５０と同様に被作用部６４と対向して第２スライド部材６０のスライド移動（図６矢印Ｂ方向）を阻止するように形成してもよい。その場合には、同様に不正防止効果を得ることができる。
【００２６】
カム部材８２は、略円盤状のカム基板８２ｃに第１スライド部材５０の被作用部５４に当接して第１スライド部材５０をスライド移動させる第１爪部８２ａと、第２スライド部材６０の被作用部６４に当接して第２スライド部材６０をスライド移動させる第２爪部８２ｂとが形成されている。この第１爪部８２ａ及び第２爪部８２ｂは、カム基板８２ｃの外周縁部の所定場所からシリンダ錠８０の軸線方向に沿って第１スライド部材５０及び第２スライド部材６０に対応する位置まで立ち上がって折り曲げられる形で形成されている。なお、取付板７２と支持板７１との挟角θを鈍角とすることにより、第１爪部８２ａ及び第２爪部８２ｂの立ち上がりの高さを低くすることができる。つまり、取付板７２と支持板７１との挟角θが１８０度に近づくに従い、第１爪部８２ａ及び第２爪部８２ｂの立ち上がりの高さが低くなる。
【００２７】
次に、上記構成の施錠装置の組立は、基体７０の支持板７１に第１スライド部材５０及び第２スライド部材６０を図３に示すように、相手側と対向する反対側の長辺側部５１ｂ，６１ｂに外枠用フック部５２と前面枠用フック部６２とが位置し、基体７０の支持板７１に第１スライド部材５０及び第２スライド部材６０が夫々相対するように並設支持する。このとき、スライド移動可能にすると共にガイドピン５８，６８を長孔５７，６７に遊挿してガイド規制し、第１付勢ばねＳ１及び第２付勢ばねＳ２の一端を掛止部５５、６５に掛止して他端を基体７０の支持板７１の掛止部７４に固定し、第１スライド部材５０及び第２スライド部材６０が施錠方向に付勢される。そして、カム部材８２を錠軸部８１にビス着固定したシリンダ錠８０を取付板７２にビス着し、カム部材８２の第１爪部８２ａ及び第２爪部８２ｂを夫々第１スライド部材５０及び第２スライド部材６０の被作用部５４，６４に対応位置させて組み立てられる。このとき、取付板７２と支持板７１との挟角θが鈍角であるため、取付板７２と支持板７１との間の空間に余裕があり、支持板７１に第１スライド部材５０及び第２スライド部材６０を装着した状態で、錠軸部８１にカム部材８２をビス着固定したシリンダ錠８０を取付板７２に取付け、簡単に第１爪部８２ａ及び第２爪部８２ｂを被作用部５４，６４に連係させることができる。
【００２８】
なお、第１スライド部材５０及び第２スライド部材６０と基体７０における相互関係では、第１スライド部材５０のスライド本体５１は、第２スライド部材６０の折り返し部６３と、基体７０の側壁部７３とに挟まれた形態となっている。また、第２スライド部材６０のスライド本体６１は、第１スライド部材５０の折り返し部５３と、基体７０の側壁部７３とに挟まれた形態となっている。これにより、夫々の折り返し部５３，６３及び側壁部７３がガイド壁となり、第１スライド部材５０及び第２スライド部材６０の夫々が互いに円滑なスライド移動が可能となる。
【００２９】
上記構成の施錠装置５は、第１スライド部材５０及び第２スライド部材６０が、基体７０の支持板７１に対して並設されるように形成されているため、各スライド部材５０，６０が重なり合わないので、それらの厚み分はもとより、構造を簡素化して薄型化することが可能となる。また、第１スライド部材５０と第２スライド部材６０とが、それぞれ独立して支持板７１の支持面に支持されるので、構造が簡単となり、特別な伝達機構や構造を設けることなく第１スライド部材５０及び第２スライド部材６０それぞれをシリンダ錠８０を介してスライド移動させることが可能となる。なお、第１スライド部材５０及び第２スライド部材６０が支持板７１の同一の支持面に取り付けられるので、これらの組付作業性がよい。
【００３０】
また、施錠装置５は、図２及び図５に示すように、第１スライド部材５０及び第２スライド部材６０が内枠３の厚み方向に並設するように内枠３の開放側端部３ａに取り付けられる。したがって、施錠装置５が内枠３（パチンコ遊技機１）の幅方向（左右方向）に対して薄型化された配置となり、内枠３に支持される遊技盤１１や構造体３０の配置スペースを大きく形成することができる。また、基体７０の支持板７１と取付板７２とがなす挟角θを鈍角に設定し、シリンダ錠８０がパチンコ遊技機１の外方に向くようにすることで、施錠装置５の操作開口３２によりデザインが規制されることがなく、装飾部材３１のデザインの自由度を増すことができる。
【００３１】
次に、上記構成を有する施錠装置５の動作を図６乃至図８を参照して説明する。まず、施錠装置５は、図５（ａ）に示すように内枠３の内方側に位置する取付板７２の一側が他側より前面側（遊技者側）となるように取付けられる。これにより、シリンダ錠８０の前端面が装飾部材３１の表面と略平行な状態となる。このようにパチンコ遊技機１に装着された施錠装置５は、通常状態において図６に示すように、第１スライド部材５０及び第２スライド部材６０は、第１付勢ばねＳ１及び第２付勢ばねＳ２によって夫々施錠方向に付勢され、外枠用フック部５２及び前面枠用フック部６２が側壁部７３に当接する位置、或いは長孔５７，６７の端部がピン５８，６８に当接する位置で保持されている。このとき、外枠２の係合受け部２２及び前面枠４の係合部４２は、外枠用フック部５２及び前面枠用フック部６２に対応して配置されている（図３参照）。なお、施錠装置５の常態において、カム部材８２の第１爪部８２ａ及び第２爪部８２ｂは、第１スライド部材５０の被作用部５４及び第２スライド部材６０の被作用部６４とは、当接した状態であっても離間した状態であってもよい。
解錠操作によって前記引張バネの付勢力に抗し前記施錠杆を支持板に沿って摺動させ、前記鉤部材を解錠方向に傾動させて前記受け金具との係合を解除することで解錠を行う
【００３２】
通常状態から図７に示すように、シリンダ錠８０の錠軸部８１を矢印Ｐ方向に回転させると、カム部材８２の第１爪部８２ａが第１スライド部材５０の被作用部５４に当接し、第１付勢ばねＳ１の付勢力に抗して図６矢印Ａ方向に第１スライド部材５０をスライド移動させる。これにより、外枠用フック部５２の係合受け部２２との係合が解除される。そして、内枠３が外枠２に対して開放可能（施錠解除状態）となる。このとき、カム部材８２の第２爪部８２ｂは、第２スライド部材６０の被作用部６４とは反対方向に回転するため、第２スライド部材６０は通常状態のまま施錠状態で保持される。
【００３３】
一方、通常状態から図８に示すように、シリンダ錠８０の錠軸部８１を矢印Ｑ方向に回転させると、カム部材８２の第２爪部８２ｂが第２スライド部材６０の被作用部６４に当接し、第２付勢ばねＳ２の付勢力に抗して図６矢印Ｂ方向に第２スライド部材６０をスライド移動させる。これにより、前面枠用フック部６２の係合部４２との係合が解除される。そして、前面枠４が内枠３に対して開放可能（施錠解除状態）となる。このとき、カム部材８２の第１爪部８２ａは第１スライド部材５０の被作用部５４とは反対方向に回転するため、第１スライド部材５０は通常状態のまま施錠状態で保持される。なお、第１スライド部材５０には阻止部５６が形成されているが、第１爪部８２ａの回転軌跡からはずれた位置に設けられているため、第１爪部８２ａが阻止部５６に回動を阻止されることはない。
【００３４】
また、図６に示す通常状態において、例えば制御基板に細工して不正に賞球を獲得させるために内枠と外枠との間に生じた隙間に異物を差し込んで、第１スライド部材５０を強制的にその施錠状態を解除する方向（第１付勢ばねＳ１の付勢力に抗する方向）へスライド移動させようと外力が加えられたとしても、シリンダ錠８０を介していない（回転させていない）ので、カム部材８２の第１爪部８２ａはそのまま被作用部５４に対応していた状態で保持されている。そのため、阻止部５６が少しスライド移動するとこの第１爪部８２ａ（カム部材８２）に当接して、第１スライド部材５０が施錠状態を解除しないようにスライド移動を阻止することができる。すなわち、阻止部５６により内枠３の不正開放を防止する不正防止機能を果たすことになる。なお、阻止部５６のスライド移動距離は、外枠用フック部５２のフックの大きさより小さく設定されている。
【００３５】
実施例において、第１スライド部材５０及び第２スライド部材６０の施錠するスライド移動方向を反転させてもよいのはいうまでもない。また、実施例において第１スライド部材５０及び第２スライド部材６０を基体７０の支持板７１に並べて設けるようにしたが、第１スライド部材５０及び第２スライド部材６０を重ね合わせるように設けるようにしてもよい。また、支持板７１の両側に第１スライド部材５０及び第２スライド部材６０をそれぞれ配置する構成としてもよい。
【００３６】
さらに、施錠装置５の操作開口３２を内枠３の装飾部材３１に開設するようにしたが、前面枠４の装飾カバーに開設してもよく、パチンコ遊技機１のデザインを阻害するようなことはない。
【００３７】
また、本発明では遊技機の一例としてパチンコ遊技機について説明したが、他に例えばアレンジボール式遊技機、パチスロ機、雀球遊技機等の施錠装置が設けられる他の遊技機にも適用できる。
【符号の説明】
【００３８】
１      パチンコ遊技機（遊技機）
２      外枠
３      内枠
３ａ    開放側端部
４      前面枠
５      施錠装置
１０    ヒンジ機構
２２    係合受け部
３１    装飾部材
３２    操作開口
４２    係合部
５０    第１スライド部材（施錠杆）
５１    スライド本体
５２    外枠用フック部
５３    折り返し部
５４    被作用部
５６    阻止部
６０    第２スライド部材（施錠杆）
６１    スライド本体
６２    前面枠用フック部
６３    折り返し部
６４    被作用部
７０    基体
７１    支持板
７２    取付板
７３    側壁部
８０    シリンダ錠（錠本体）
８１    錠軸部（錠軸）
８２    カム部材
８２ａ  第１爪部
８２ｂ  第２爪部
８２ｃ  カム本体
θ      挟角
【図１】
2010253118.tif 000003
【図２】
2010253118.tif 000004
【図３】
2010253118.tif 000005
【図４】
2010253118.tif 000006
【図５】
2010253118.tif 000007
【図６】
2010253118.tif 000008
【図７】
2010253118.tif 000009
【図８】
2010253118.tif 000010